(57)【要約】      （修正有）【課題】屋根の中心となるコアパイプと、金属屋根材で構成した、ドーム形でなる建物の構造を提供する。【解決手段】建物の骨格となる鋼材製のコアパイプを中央に立設し、コアパイプと、前記建物の壁、又は柱等の構造体との間に、梁及び胴縁等でなる骨材を構築し、骨材の上に、成形ロールで成形した金属屋根材を順次葺設して屋根、又は側壁を構築する構成とした建物であり、コアパイプ及び／又は建物の空間の有効利用を目的とする。【選択図】図１
0003146988.tif 000002
【実用新案登録請求の範囲】
【請求項１】
建物の骨格となる鋼材製のコアパイプを中央に立設し、このコアパイプと、前記建物の壁、又は柱等の構造体との間に、梁及び胴縁等でなる骨材を構築し、この骨材の上に、成形ロールで成形した金属屋根材を順次葺設して屋根、又は側壁を構築する構成とした建物の構造。
【請求項２】
請求項１に記載の建物の構造であって、
前記成形ロールで成形した金属屋根材の本体部の短手方向において、この短手方向に、凹凸に折曲げて折曲げ部を成形するとともに、この折曲げ部の連なりが、この本体部の長手方向に連続して形成し、また前記本体部の短手方向の両端部より立設して折曲げた折曲げ側面部の立上げ方向において、その立上げ方向に凹凸に折曲げて折曲げ部を形成するとともに、この折曲げ部の連なりが、この折曲げ側面部の長手方向に連続して形成する構成とした建物の構造。
【請求項３】
請求項１に記載の建物の構造であって、
前記壁、又は側壁を環状に形成し、この壁、又は側壁に併せて、屋根及び骨材を環状に構築する構成とした建物の構造。
【請求項４】
請求項１に記載の建物の構造であって、
前記コアパイプを環状に形成し、このコアパイプ内に、一つか、又は複数の部屋・扉・クローゼット・トイレ、また、階段を設ける構成とした建物の構造。
【請求項５】
請求項１に記載の建物の構造であって、
前記コアパイプの先端部を、屋根より突出し、この先端部の開口には、成形ロールで成形した金属屋根材で、起り屋根を構築し、この起り屋根と、前記屋根の間に屋上空間部を形成するとともに、このコアパイプには、建物の室内、及び／又は、この屋上空間部に連なる通路を形成する構成とした建物の構造。
【考案の詳細な説明】
【技術分野】
【０００１】
本考案は、屋根の中心となるコアパイプと、金属屋根材で構成した、ドーム形でなる建物の構造に関する。
【背景技術】
【０００２】
従来、簡易形の建物、又は災害用の建物として、例えば、プレハブ、ユニットハウス等の建物がある。この建物は、耐久性、居住性、機能性等が図れるとともに、維持費が安く、かつ簡易に構築（組立て）できることから、重宝されている。しかし、緊急用であることと、耐震、耐風性等の災害に対しては、充分機能しないのが現況である。上記に鑑み、本考案者は、先行文献で、本考案と、関連がある発明と、考案を調査したので、その一例を概述する。
【０００３】
文献（１）は、特開２００４−１６９４２０の「建物の構造」である。この発明は、外周部の外周チューブ架構と、中心部のコアチューブ架構を主架構とするチューブ構造の高層、又は超高層の建物の構造であって、このコアチューブ架構は、建物の頂部においては鉄筋コンクリート造のコア柱とコア梁によるラーメン架構であり、この頂部以外においては鉄筋コンクリート造の高剛性のコアウォールからなる構造であり、また、このコアウォールは周方向に分割部を有する筒状の形態であり、この分割部には制震ダンパーとして機能する境界梁を設けた構造であって、高層、又は超高層建物に適用する合理的な構造を実現できる建物の構造を提供する。
【０００４】
文献（２）は、特開２００５−２３２８４５の「避難施設」である。この発明は、地中に設けた基礎部分を地上に延設し、この延設部分に略円筒形の避難用の部屋と、部屋の上方に天井部を設けて避難所を形成し、避難所の天井部に雨水の貯め部、天窓を設ける構成の避難施設であって、避難施設は、同形状の部屋を自由に積重ね可能とするとともに、積重ね時に、各部屋間を移動できる通路用の出入り口、及び配管用の穴を開設した構成であり、
土石流に対応できることと、外壁の強度を確保し、例えば、土圧抵抗、土石流等の外圧に対応できる避難施設を提供できる特徴がある。
【０００５】
また、文献（３）は、実開昭６３−１５１６３０号の「金属製屋根材」である。この考案は、長手方向両端で横幅が異なる主板部と、この主板部の両側辺から立ち上がった接合用立ち上り板部でなる金属製屋根材であって、この主板部の全幅に、その長手方向に向かって、凹凸を形成し、また、立ち上り板部を平滑とする構造であり、この金属製屋根材を、平面視して、略細長三角形状に構成し、ドーム屋根や円形屋根を構築するに適した金属製屋根材を提供することを意図する。
【０００６】
【特許文献１】特開２００４−１６９４２０
【特許文献２】特開２００５−２３２８４５
【特許文献３】実開昭６３−１５１６３０号
【考案の開示】
【考案が解決しようとする課題】
【０００７】
文献（１）は、高鋼性のコアウォールによるコアチューブ架構を採用し、このコアチューブ架構の外部に、外周チューブ架構を設け、このコア・外周チューブ間を、コア梁又は境界梁を設けた構造とし、コンクリート量、鉄筋量等を軽減し、施工の合理化と、無梁無柱の住居ゾーンを確保することを意図する。しかし、「０１」  この発明は、コンクリート構造物であり、本考案が意図する、成形ロールで成形した金属屋根材を順次葺設しで屋根、又は側壁を構築する構成とは、相違する。また、「０２」  この発明は、コンクリート、鉄筋等を使用した構造物であり、本考案の如く、プレハブ感覚で施工する建物ではなく、施工の簡易性と、経済性において改良の余地がある。さらに、「０３」  この発明は、コンクリート、鉄筋等を使用した構造物であり、本考案の如く、成形ロールで成形した、長尺物で、かつ強度のある構造体でなる金属屋根材を順次葺設して屋根、又は側壁を構築する構成とは、相違する。
【０００８】
また文献（２）は、地中に設けた基礎部分を地上に延設し、この延設部分に略円筒形の避難用の部屋と、部屋の上方に天井部を設けて避難所を形成し、緊急時の人命救助を意図する。しかし、この発明も、文献（１）と同様な改良点がある。
【０００９】
そして、また、文献（３）は、長手方向両端で横幅が異なる主板部と、この主板部の両側辺から立ち上がった接合用立ち上り板部でなる金属製屋根材であって、ドーム屋根や円形屋根を構築するに適した金属製屋根材である。しかし、この考案も、文献（１）と同様な改良点がある。そして、この考案と、本考案は、ともに、成形ロールで成形した、長尺物で、かつ強度のある構造体でなる金属屋根材を使用するが、長手方向に、凹凸の折曲げ部を設けた構造である。従って、本考案の如く、長尺物で、かつ強度のある構造体でなる金属屋根材でなく、強度的な問題を抱えている。
【課題を解決するための手段】
【００１０】
請求項１の考案は、「００１」  成形ロールで成形した金属屋根材を順次葺設して屋根、又は側壁を構築すること、また、「００２」  屋根に、コンクリート、鉄筋等を使用せず、プレハブ感覚で施工する建物であり、かつ施工の簡易性と、経済性に優れた建物を提供すること、さらに、「００３」  屋根に、コンクリート、鉄筋等を使用せず、成形ロールで成形した、長尺物で、かつ強度のある構造体でなる金属屋根材を順次葺設して屋根、又は側壁を構築すること等を意図する。そして、この請求項１の考案は、「００４」  無柱構造とし、建物空間の有効利用、例えば、事務所、住居、スポーツ施設、遊び場、教室等として活用することを意図する。さらに、この請求項１の考案は、「００５」  鋼材製のコアパイプを中央に立設することで、強度の確保と、避難施設としての活用を意図する。
【００１１】
請求項１は、建物の骨格となる鋼材製のコアパイプを中央に立設し、このコアパイプと、前記建物の壁、又は柱等の構造体との間に、梁及び胴縁等でなる骨材を構築し、この骨材の上に、成形ロールで成形した金属屋根材を順次葺設して屋根、又は側壁を構築する構成とした建物の構造である。
【００１２】
請求項２の考案は、「００６」  請求項１の目的を達成することと、長尺物で、かつ強度のある構造体でなる金属屋根材を提供することを意図する。
【００１３】
請求項２は、請求項１に記載の建物の構造であって、
前記成形ロールで成形した金属屋根材の本体部の短手方向において、この短手方向に、凹凸に折曲げて折曲げ部を成形するとともに、この折曲げ部の連なりが、この本体部の長手方向に連続して形成し、また前記本体部の短手方向の両端部より立設して折曲げた折曲げ側面部の立上げ方向において、その立上げ方向に凹凸に折曲げて折曲げ部を形成するとともに、この折曲げ部の連なりが、この折曲げ側面部の長手方向に連続して形成する構成とした建物の構造である。
【００１４】
請求項３の考案は、「００７」  請求項１の目的を達成することと、強度的に優れ、かつ簡易で、しかも少ない資材で構築できる建物（建屋）の提供を意図する。
【００１５】
請求項３は、請求項１に記載の建物の構造であって、
前記壁、又は側壁を環状に形成し、この壁、又は側壁に併せて、屋根及び骨材を環状に構築する構成とした建物の構造である。
【００１６】
請求項４の考案は、「００８」  請求項１の目的を達成することと、強度的に優れ、かつ簡易で、建物空間を有効利用できる建物（建屋）の提供を意図する。
【００１７】
請求項４は、請求項１に記載の建物の構造であって、
前記コアパイプを環状に形成し、このコアパイプ内に、一つか、又は複数の部屋・扉・クローゼット・トイレ、また、階段を設ける構成とした建物の構造である。
【００１８】
請求項５の考案は、「００９」  請求項１の目的を達成することと、多目的、かつ多用途に利用できる建物（建屋）の提供を意図する。
【００１９】
請求項５は、請求項１に記載の建物の構造であって、
前記コアパイプの先端部を、屋根より突出し、この先端部の開口には、成形ロールで成形した金属屋根材で、起り屋根を構築し、この起り屋根と、前記屋根の間に屋上空間部を形成するとともに、このコアパイプには、建物の室内、及び／又は、この屋上空間部に連なる通路を形成する構成とした建物の構造である。
【考案の効果】
【００２０】
請求項１の考案は、建物の骨格となる鋼材製のコアパイプに、梁及び胴縁等でなる骨材を構築し、骨材の上に、成形ロールで成形した金属屋根材を順次葺設して屋根、又は側壁を構築する建物の構造である。
【００２１】
従って、請求項１は、「０００１」  成形ロールで成形した金属屋根材を順次葺設して屋根、又は側壁を構築できること、また、「０００２」  屋根に、コンクリート、鉄筋等を使用せず、プレハブ感覚で施工する建物であり、かつ施工の簡易性と、経済性に優れた建物を提供できること、さらに、「０００３」  屋根に、コンクリート、鉄筋等を使用せず、成形ロールで成形した、長尺物で、かつ強度のある構造体でなる金属屋根材を順次葺設して屋根、又は側壁を構築できること等の特徴がある。そして、請求項１は、「０００４」  無柱構造とし、建物空間の有効利用、例えば、事務所、住居、スポーツ施設、遊び場、教室等として活用できる。さらに、請求項１は、「０００５」  鋼材製のコアパイプを中央に立設することで、強度の確保と、避難施設として活用できる特徴がある。
【００２２】
請求項２の考案は、成形ロールで成形した金属屋根材の本体部の短手方向に、凹凸に折曲げて折曲げ部を成形し、かつその連なりを、本体部の長手方向に連続して形成し、また本体部の短手方向の両端部より立設して折曲げた折曲げ側面部の立上げ方向に、凹凸に折曲げて折曲げ部を形成し、かつその連なりを、折曲げ側面部の長手方向に連続して形成する構成とした建物の構造である。
【００２３】
従って、請求項２は、「０００６」  請求項１の目的を達成できることと、長尺物で、かつ強度のある構造体でなる金属屋根材を提供できる特徴がある。
【００２４】
請求項３の考案は、壁、又は側壁を環状に形成し、壁、又は側壁に併せて、屋根及び骨材を環状に構築する建物の構造である。
【００２５】
従って、請求項３は、「０００７」  請求項１の目的を達成できることと、強度的に優れ、かつ簡易で、しかも少ない資材で構築できる建物（建屋）の提供できる特徴がある。
【００２６】
請求項４の考案は、環状に形成したコアパイプ内に、一つか、又は複数の部屋・扉・クローゼット・トイレ、また、階段を設ける構成とした建物の構造である。
【００２７】
従って、請求項４は、「００８」  請求項１の目的を達成できることと、強度的に優れ、かつ簡易で、建物空間を有効利用できる建物（建屋）の提供できる特徴がある。
【００２８】
請求項５の考案は、コアパイプの先端部を、屋根より突出し、先端部の開口には、成形ロールで成形した金属屋根材で、起り屋根を構築し、起り屋根と、屋根の間に屋上空間部を形成するとともに、コアパイプには、通路を形成する建物の構造である。
【００２９】
従って、請求項５は、「０００９」  請求項１の目的を達成できることと、多目的、かつ多用途に利用できる建物（建屋）の提供できる特徴がある。
【考案を実施するための最良の形態】
【００３０】
本考案の一例を説明する。
【００３１】
図面の説明をすると、図１は起り屋根を備えたドーム形建屋の第一実施例（ハンモックを架承した）を示した断面図、図２は起り屋根を備えたドーム形建屋の第二実施例（ロッククライミング「岩登り」用のホールド（突起物）を設けた）を示した断面図、図３−１は擬似起り屋根を備えたドーム形建屋の第三実施例（居住空間）を示した断面図、図３−２は図３−１の要部の拡大断面図、図４は擬似起り屋根を備えたドーム形建屋の第四実施例（空間）を示した断面図、図５はドーム形建屋の屋根の一例の俯瞰図、図６−１は屋根の一例を拡大して示した要部の一部欠截の俯瞰図、図６−２は第一・第二金属屋根材と、第三金属屋根材、又は第四金属屋根材との接合関係を説明した模式図、図６−３は第一・隣接する第一金属屋根材と、第五金属屋根材との接合関係を説明した模式図、図７−１は金属屋根材の一例を示した斜視図、図７−２は金属屋根材の一例を示した拡大正面図、図７−３は金属屋根材の一例を示した縮尺側面図、図８はドーム形建屋の第六実施例（ハウス形）を示した模式図である。
【００３２】
図中１は地面ＧＬに構築された躯体の壁（腰壁、又は基礎、柱等）であり、例えば、コンクリート構造物、鋼材、又はロールで成形した金属鋼材で形成（構築）する。この壁１の平面視した形状は、円形、楕円等の丸形、また、三角、六角等の異形、さらに正方形、長方形等の方形等、場合により、ハウス形状もあり得る。図中２は土台、３は壁１に一つ、又は複数設けた出入り口を示している。尚、壁１は後述するように、金属屋根材で構築する構造もあり得る。
【００３３】
この壁１の中心で、かつ土台２の中心には、建物Ｂの骨格となる鋼材製のコアパイプ５を立設する。このパイプ５は鋼管（筒体）が、強度、取扱い、又は衝撃性に有効であるが、場合により、角筒体、異形筒体等もあり得る。そして、このコアパイプ５の内外面５ａ、５ｂ及び／又は本体５ｃには、複数の出入り口５００、梯子５０１、突起５０２、フック５０３、又は棚５０４、階段５０５等を設ける。この梯子５０１は、本来の使用と、避難用としての利用、又はロープ、吊下げ具等としての利用と、その他の利用として活用する。また、この突起５０２と、フック５０３は、スポーツとしての利用、避難用としての利用、また、滑り台、ブランコ等の遊び具の取付け、ロープ、吊下げ具等としての利用と、又はその他の利用として活用する。そして、これらの各利用は、一例である。
【００３４】
また、この壁１とコアパイプ５には、鉄骨鋼材、木製等の梁７、８及び胴縁１０等でなる骨材を構築する。この例では、屋根Ｒの流れ方向Ｒ１に、間隔をおいて、梁７を複数本設けるとともに、この各梁７の上に、屋根Ｒの桁方向Ｒ２に間隔をおいて、梁８を複数本設ける構造とし、屋根地Ｒ３を構築する。尚、避難所としては、梁７、８及び胴縁１０等は、鉄骨鋼材が望ましい。
【００３５】
以上のようにして構築した屋根地Ｒ３には、成形ロールで成形した金属屋根材１１を葺設する。そして、この金属屋根材１１は、長手方向１１ａに向かって連続した長尺の本体部１１００と、この本体部１１００の長手方向１１ａと直交する短手方向１１ｂの両端部１１ｃ、１１ｃ（１１ｃとする）より立設して折曲げた折曲げ側面部１１０１、１１０１（１１０１とする）を形成する。そして、この本体部１１００の短手方向１１ｂにおいて、その短手方向に、凹凸の折曲げ部１２（波形状）を形成し、この凹凸の折曲げ部１２の連なりが、長手方向１１ａに向かって連続する構造である。そして、同様に折曲げ側面部１１０１の立上方向１１ｄ、１１ｄ（１１ｄとする）において、この立上げ方向１１ｄに凹凸の折曲げ部１３、１３（波形状）を形成し、この折曲げ部１３、１３（１３とする）の連なりが、長手方向１１ａに向かって連続する構造である。尚、図７−３において、平面視して、この折曲げ部１２、１３の折曲げ角度（凹凸の大小（深さと高さ））で、この本体部１１００の天地方向（葺設時・俯瞰視してＲ式、又は逆Ｒ式）の曲り角度Ａ（曲り程度）と、図７−１において、平面視して折曲げ側面部１１０１の平面方向（葺設時・俯瞰視して左右方向）の曲り角度Ｂ（曲り程度）を、任意に変更できる。そして、この曲り角度Ａ及び／又は曲り角度Ｂの大小の調整及び／又は変更等を利用し、屋根Ｒの大小・形態、又は曲面・勾配程度（流れ角度）等に対応可能とすること、そして、この対応で、例えば、嗜好の汎用性と用途、それぞれの気候条件、土地、又は季節条件等に有効に対処できる特徴がある。  
【００３６】
尚、この金属屋根材１１は、屋根Ｒの形態、又は曲面・勾配程度、その他の条件等に対応できる構造とするが、本考案の好ましい一例を、図５〜図６−３を参照として、説明する。そして、ここで使用する金属屋根材１１は、長尺で方形状であって、第一金属屋根材１１−１と、この第一金属屋根材１１−１と同じ構造であって、短尺で方形状の第二金属屋根材１１−２と、並びに三角形状であって、対の第三金属屋根材１１−３、１１−３と、この第三金属屋根材１１−３と略同じ構造であって、短尺の第四金属屋根材１１−４の組合せをワンパターンとする。また、この第一金属屋根材１１−１と、第二金属材１１−２の（上向き）折曲げ側面部１１０１には、それぞれ本体部１１００の内方に向った係止折曲げ部１１０３、１１０４を、折曲げ成形する。また、この第三金属屋根材１１−３と、第四金属屋根材１１−４の本体部１１００には、それぞれ、この本体部１１０５の内方に向った係止折曲げ部１１０６、１１０７を、折曲げ重畳して成形する。尚、係止折曲げ部１１０３、１１０４に、係止折曲げ部１０６、１１０７を、差込む構造である。しかし、図示しない、係止折曲げ部１１０３、１１０４に、係止折曲げ部１０６、１１０７を被嵌する構造も可能である。以下、この係止折曲げ部１１０３、１１０４と係止折曲げ部１０６、１１０７の係合関係は、差込みで説明する。
【００３７】
以上のような第一、第二金属屋根材１１−１、１１−２と、第三金属屋根材１１−３、１１−３並びに第四金属屋根材１１−４を利用し、屋根Ｒを葺設する一例を説明すると、前記の如く、壁１とコアパイプ５の間に構築した梁７、８及び胴縁１０等でなる骨材の上に、第一金属屋根材１１−１に隣接する第一金属屋根材１１−１（第一、隣接する第一金属屋根材１１−１、１１−１とする）を、順次、構築するが、例えば、コアパイプ５の外周面に設けた係止板１４（支持手段）に、この第一、隣接する第一金属屋根材１１−１、１１−１の一端を隙間なく取付け、またその他端を壁１に間隔をおいて取付ける。この状態において、この第一、隣接する第一金属屋根材１１−１、１１−１には、図６−１において、仮想の三角形状の空間Ｈが形成される。そこで、この空間Ｈを閉塞（埋める）ために、次の方法を一例として採用する。最初に、この第一、隣接する第一金属屋根材１１−１、１１−１と壁１とで形成された空間Ｈに、第二金属屋根材１１−２を、止め具、引掛け、又は差込み等の係止手段を利用して取付ける。従って、前記空間Ｈは狭くなり、例えば、狭い均等な二つ空間Ｈ１と、さらに狭い一つの空間Ｈ２ができる。そこで、この空間Ｈ１には、二つの第三金属屋根材１１−３、１１−３を、また、この空間Ｈ２には、第四金属屋根材１１−４をもって閉塞する。
【００３８】
そして、この第三・第四金属屋根材１１−３、１１−４の平面形状は、この空間Ｈ１と空間Ｈ２を閉塞するために、空間Ｈ１と空間Ｈ２と、略合致する構造である。尚、この閉塞の際に、空間Ｈ１の一方は、第一、第二金属屋根材１１−１、１１−２の係止折曲げ部１１０３、又は１１０４に、第三金属屋根材１１−３の係止折曲げ部１１０６、又は１１０７を差込み、また、空間Ｈ１の他方は、第二、隣接する第一第金属屋根材１１−２、１１−１の係止折曲げ部１１０７、又は１１０３に、第三金属屋根材１１−３の係止折曲げ部１１０６、又は１１０７を差込み、この空間Ｈ１を閉塞する。また、空間Ｈ２は、第一、隣接する第一金属屋根材１１−１、１１−１の係止折曲げ部１１０３、又は１１０４に、第四金属屋根材１１−４の係止折曲げ部１１０６、又は１１０７を差込み、この空間Ｈ２を閉塞する。以上の作業で、最初の屋根地Ｒ３に対する葺設が終了したので、続いて、この葺設を、順次、屋根地Ｒ３の全体に行うことで、この屋根Ｒが構築される。同時に建屋Ｃが構築される。そして、この建屋Ｃは、生活・避難用等の住居空間、遊戯用空間、倉庫等として利用する。
【００３９】
この屋根Ｒが構築された後の好ましい一例を、図３−１と、図３−２を主体して説明する。屋根地Ｒ３には、耐熱性（効果）、耐火性、耐震性、又は防音効果、結露防止、並びに健康的な住居・空間確保等を意図して、ウレタン塗装、不燃性仕上げ材（塗装）等の内装手段１５を設けることが望ましい。また、図示しないが、木製等の天井、壁材を内装することもあり得る。そして、この建物Ｃは、例えば、耐久性、居住性、機能性等が図れるとともに、維持費が安く、かつ簡易に構築（組立て）できる。従って、コアパイプ５内及び／又はコアパイプ５と壁１で形成される空間ＨＨの有効利用と、鋼製のコアパイプ５内を避難用として有効利用できる。
【００４０】
そして、このコアパイプ５の開口５ｅの上方には、起り屋根ＲＲを構築する。この起り屋根ＲＲは、金属屋根材１１、鋼板、又はＦＲＰ（透視性・採光用）を利用する。この際、金属屋根材１１では、例えば、屋根Ｒの小型構造か、又は湾曲板材・屋根材２０等とする。そして、起り屋根ＲＲを屋根Ｒと、間隔をおいて設けた、例えば、図１〜図４等の例では、出入り口５０６を、通常の出入り、又は避難用の出入り等に利用する。また、このコアパイプ５の開口５ｅの下方に、杆２１を設けて、避難用、遊戯用等として利用するロープ２３、又は図示しない避難用、遊戯用等として利用する梯子を付設することもある。尚、図４に示した一例では、擬似起り屋根ＲＲＲに構築する構造であり、屋根Ｒに近接して起り屋根ＲＲを構築したことで、通常の屋根Ｒとの識別性と、また、起り屋根ＲＲの体裁確保に役立つこと等が考えられる。また、杆２１は手摺りとしても利用し、遊戯用と、観測用、又は前述の他の避難用としての利用が図れる。尚、起り屋根ＲＲは、開閉自在の開口（出入り口）を、一つ又は複数設けることも可能である。
【００４１】
そして、図中２５はコアパイプ５に設けたフック５０３と、例えば、壁１のフック５０３ａ等に吊架したハンモック、２６はコアパイプ５の開口５ｅの近傍に設けた天井を示す。また、図中２７は壁１の一つ又は複数の出入り口３の上方、又は壁１の適所に、一箇所又は数箇所に、個別、又はそれぞれ設けた庇で、この庇２７は雨除け、埃除け、又は避難箇所とする。図中２８は樋を示す。尚、図１〜図３−１の建屋Ｃの外観や空間ＨＨはモンゴルの遊牧民が使用するゲル（パオ）と、同様の雰囲気であるが、材質の相違と、その利用分野で異なる。
【００４２】
また、図８は前述した建屋Ｃの一部及び全部に、ハウス形状の建屋Ｃを連設した構造であり、全天候型の室内スポーツ施設として、床を板張りにするだけでなく、砂（グラウンド）や水、（温水）等の流体を利用する練習スペース、又は風の方向性を利用した練習環境を設定可能であり、さらに、気圧を変化させて訓練及び／又は練習施設等とすることも可能である。尚、その他として、ハウス栽培用、生活・避難用等の住居ハウス、遊戯用ハウス、倉庫としても使用できる。その他は、前述の建屋に準ずる。
【図面の簡単な説明】
【００４３】
【図１】図１は起り屋根を備えたドーム形建屋の第一実施例（ハンモックを架承した）を示した断面図
【図２】図２は起り屋根を備えたドーム形建屋の第二実施例（ロッククライミング「岩登り」）を示した断面図
【図３−１】図３−１は擬似起り屋根を備えたドーム形建屋の第三実施例（居住空間）を示した断面図
【図３−２】図３−２は図３−１の要部の拡大断面図
【図４】図４は擬似起り屋根を備えたドーム形建屋の第四実施例（空間）を示した断面図
【図５】図５はドーム形建屋の屋根の一例の俯瞰図
【図６−１】図６−１は屋根の一例を拡大して示した要部の一部欠截の俯瞰図
【図６−２】図６−２は第一・第二金属屋根材と、第三金属屋根材、又は第四金属屋根材との接合関係を説明した模式図
【図６−３】図６−３は第一・次の第一金属屋根材と、第五金属屋根材との接合関係を説明した模式図
【図７−１】図７−１は金属屋根材の一例を示した斜視図
【図７−２】図７−２は金属屋根材の一例を示した拡大正面
【図７−３】図７−３は金属屋根材の一例を示した縮尺側面図
【図８】図８はドーム形建屋の第六実施例（ハウス形）を示した模式図
【符号の説明】
【００４４】
１            壁
２            土台
３            出入り口
５            コアパイプ
５ａ          内面
５ｂ          外面
５ｃ          本体
５ｅ          開口
５００        出入り口
５０１        梯子
５０２        突起
５０３        フック
５０３ａ      フック
５０４        棚
５０５        階段
５０６        出入り口
７            梁
８            梁
１０          胴縁
１１          金属屋根材
１１−１      第一金属屋根材
１１−２      第二金属屋根材
１１−３      第三金属屋根材
１１−４      第四金属屋根材
１１ａ        長手方向
１１ｂ        短手方向
１１ｃ        端部
１１００      本体部
１１０１      折曲げ側面部
１１０２      折曲げ側面部
１１０３      係止折曲げ部
１１０４      係止折曲げ部
１１０５      本体部
１１０６      係止折曲げ部
１１０７      係止折曲げ部
１２          折曲げ部
１３          折曲げ部
１４          係止板
１５          内装手段
２０          湾曲板材・屋根材
２１          杆
２３          ロープ
２５          ハンモック
２６          天井
２７          庇
２８          樋
Ａ            曲り角度
Ｂ            曲り角度
Ｃ            建屋
Ｒ            屋根
Ｒ１          流れ方向
Ｒ２          桁方向
Ｒ３          屋根地
ＲＲ          起り屋根
ＲＲＲ        擬似起屋根
Ｈ〜Ｈ２      空間
ＨＨ          空間
【図１】
0003146988.tif 000003
【図２】
0003146988.tif 000004
【図３−１】
0003146988.tif 000005
【図３−２】
0003146988.tif 000006
【図４】
0003146988.tif 000007
【図５】
0003146988.tif 000008
【図６−１】
0003146988.tif 000009
【図６−２】
0003146988.tif 000010
【図６−３】
0003146988.tif 000011
【図７−１】
0003146988.tif 000012
【図７−２】
0003146988.tif 000013
【図７−３】
0003146988.tif 000014
【図８】
0003146988.tif 000015